(57)【要約】少なくとも１つの光源を有したフラッシュ装置（６）であって、フラッシュ装置（６）の光源の光放出域の前に少なくとも１枚のフィルタ（３）、特にカラーフィルタが配置され、フラッシュ装置（６）は少なくとも１つの支持体を有し、少なくとも２枚のフィルタ（２，３，４）、特にカラーフィルタが該支持体に配置され、支持体（１）は回動式に支持され、支持体（１）の回動によって種々のフィルタ（２，３，４）、好ましくはカラーフィルタが、放出光に影響を及ぼすようにフラッシュ装置（６）の光源の光放出域（５）に配置されているフラッシュ装置。
2004521388.tif 000002
【特許請求の範囲】
【請求項１】
少なくとも１つの光源を有したフラッシュ装置であって、フラッシュ装置の光源の光放出域の前に少なくとも１枚のフィルタ、特にカラーフィルタが配置され、フラッシュ装置は少なくとも１つの支持体を有し、少なくとも２枚のフィルタ、特にカラーフィルタが該支持体に配置され、支持体（１）は回動式に支持され、支持体（１）の回動によって種々のフィルタ（２，３，４）、好ましくはカラーフィルタが放出光に影響を及ぼすようにフラッシュ装置（６）の光源の光放出域（５）に配置されたことを特徴とするフラッシュ装置。
【請求項２】
支持体（１）は円筒形に形成され、好ましくは少なくとも２枚のフィルタ（２，３，４）がそれぞれ支持体（１）の外周面の少なくとも１箇所に配置されていることを特徴とする請求項１に記載のフラッシュ装置。
【請求項３】
光放出域（５）は３６０°以下、好ましくは１８０°以下の空間角を占めていることを特徴とする請求項１または２のいずれか１項に記載のフラッシュ装置。
【請求項４】
光放出域（５）は９０°以下、好ましくは６０°以下の空間角を占めていることを特徴とする請求項１または２のいずれか１項に記載のフラッシュ装置。
【請求項５】
少なくとも２枚のフィルタ（２，３，４）、好ましくはカラーフィルタを擁した少なくとも１つの支持体（１）がフラッシュ装置（６）の内部および／または周辺に密着して配置されていることを特徴とする請求項１から４までのいずれか１項に記載のフラッシュ装置。
【請求項６】
少なくとも１つの支持体（１）は３枚のフィルタ（２，３，４）、好ましくは４枚のフィルタを有していることを特徴とする請求項１から５までのいずれか１項に記載のフラッシュ装置。
【請求項７】
フラッシュ装置（６）は基本的に円筒形に形成されていることを特徴とする請求項１から６までのいずれか１項に記載のフラッシュ装置。
【請求項８】
少なくとも１枚のフィルタ（２，３，４）の最大寸法は０．１〜１０ｃｍ、好ましくは１ｃｍ〜５ｃｍであることを特徴とする請求項１から７までのいずれか１項に記載のフラッシュ装置。
【請求項９】
少なくとも１枚のフィルタは格子フィルタおよび／または強度調整フィルタおよび／または空間角選択フィルタであることを特徴とする請求項１から８までのいずれか１項に記載のフラッシュ装置。
【請求項１０】
少なくとも２枚のフィルタを手作業および／または自動的に、好ましくはフィルム送りおよび／またはシャッタと連動するようにして、交互に配置することができることを特徴とする請求項１から９までのいずれか１項に記載のフラッシュ装置。
【請求項１１】
カメラに内臓されるかまたはオプショナルにカメラから着脱し得るかまたは分離した装置としてカメラによって制御されることを特徴とする請求項１から１０までのいずれか１項に記載のフラッシュ装置。
【発明の詳細な説明】
【技術分野】
【０００１】
本発明は、少なくとも１つの光源を有したフラッシュ装置であって、フラッシュ装置の光源の光放出域の前に少なくとも１枚のフィルタ、特にカラーフィルタが配置され、フラッシュ装置は少なくとも１つの支持体を有し、少なくとも２枚のフィルタ、特にカラーフィルタが該支持体に配置されているフラッシュ装置に関する。
【背景技術】
【０００２】
前記の類のフラッシュ装置は、従来の技術においてたとえば米国特許公報第４．３６５．８８２号明細書［ＵＳ  ４．３６５．８８２］から公知である。前記米国特許公報第４．３６６．８８２号明細書にはフィルムの色の再現品位を検定するための色の標準を用意するフラッシュ装置が示されている。しかしながら、前記の明細書に示された装置構造はもっぱら所定の色の標準をつくり出すために設計されており、したがって、日常的な写真撮影におけるスピーディーで容易なフラッシュカラーの交換には利用不能であるかまたは限定的にしか利用することができない。
【発明の開示】
【発明が解決しようとする課題】
【０００３】
そこで本発明の目的は、種々のフィルタをスピーディーかつ容易に光放出域の前に配置することのできる、日常的な使用にとって十分堅牢なフラッシュ装置を創作することである。
【課題を解決するための手段】
【０００４】
前記課題は本発明により、支持体が回動式に支持され、支持体の回動によって種々のフィルタ、好ましくはカラーフィルタが放出光に影響するように、カラーフィルタがフラッシュ装置の光源の光放出域に配置されることによって達成される。
【０００５】
したがって、本発明により、支持体の容易な回動によってフラッシュ装置の光効果ないし色効果のスピーディーな交換を実施することが可能である。さらに、好適な実施例において、コンビネーションされたフィルタをフラッシュ装置の光源の光放出域の前に交互に配置することも可能である。一般に本発明によるフラッシュ装置はカメラと一体で使用するのが適切であるが、ただしそれに制限されるものではない。ここでカメラとはアナログ式、ディジタル式、携帯式または定置式のあらゆる種類の写真撮影用カメラまたは映画撮影用カメラを含むものとして考えられている。
【０００６】
好適な実施形態において、支持体は円筒形に形成され、好ましくは少なくとも２枚のフィルタがそれぞれ支持体外周面の少なくとも１箇所に配置されている。
【０００７】
この場合、好ましい実施例において、フラッシュ装置の光放出域は３６０°、好ましくは１８０°の空間角を占めている。他の好適な実施例において、フラッシュ装置の光放出域は９０°以下、好ましくは６０°以下の空間角を占めている。
【０００８】
好適な実施例において、さらに、少なくとも２枚のフィルタ、好ましくはカラーフィルタを擁した少なくとも１つの支持体がフラッシュ装置に密着配置されている。ただしこれはフラッシュ装置への容易な挿脱によって種々のフィルタを擁した支持体を他のフィルタを擁した他の支持体と容易に交換し得ることを排除するものではない。
【０００９】
好適な実施例において、少なくとも１つの支持体は３枚のフィルタ、好ましくは４枚のフィルタを擁している。さらに、フラッシュ装置は基本的に円筒形に形成されているのが好適である。フラッシュ装置の通例の使用範囲において、少なくとも１枚のフィルタの最大寸法は０．１〜１０ｃｍ、好ましくは１〜５ｃｍであるのが好適である。
【００１０】
フィルタの選択には数多くの可能性が存在する。たとえば好適な実施例において、少なくとも１枚のフィルタは格子フィルタおよび／または強度調整フィルタおよび／または空間角選択フィルタである。これにより、先ず、フラッシュライトによって放出される光の色だけでなくその強度も容易に、しかもコスト高な電子式制御装置を要さずに、調節することが可能である。ただし、さらにまた、種々のフィルタを空間角選択的に形成することも可能である。これはフラッシュライトによって照明される種々の空間範囲を種々の強度の光ならびに種々の色の光で照明することができることを意味している。これにより、写真または映画撮影に際する多様なカラー効果ならびに明暗効果の可能性が切り開かれることとなる。
【００１１】
さらに、少なくとも２枚のフィルタを手作業および／または自動的に、好ましくはフィルム送りおよび／またはシャッタと連動するようにして、交互に配置し得るようにすることができる。これは、一方で所望のフィルタを手で容易にセットし得るかまたはオートマチック装置によりカメラの種々の動作状態に応じたとえばフィルム送り時にフィルタが自動的に交換されることを意味している。これは高速で動く被写体を種々の光効果で撮影する必要がある場合に特に好適である。
【００１２】
この場合、本発明によるフラッシュ装置は、フラッシュ装置をカメラに内蔵するかまたはオプショナルにカメラから着脱し得るようにして配置するかまたは分離した装置としてカメラによって制御し得るようにすることにより、基本的にきわめて多様なカメラ装置に適合させることが可能である。
【発明を実施するための最良の形態】
【００１３】
本発明のその他の特徴ならびに本発明の詳細を、以下、図面に基づいて説明し、明らかにする。図１に示した本発明によるフラッシュ装置６は従来の技術におけると同様に公知のカメラ９上に取り付けられている。カメラ９によるフラッシュ装置６の制御は、従来の技術において公知のように、フラッシュ装置６の基部７にある接点によって行われる。フラッシュ装置６はウィンドウ１０の形の光放出域５を有している。光放出域５のこのウィンドウ１０の背後にフラッシュ装置の光源が配置されている（ここでは不図示）。光放出域５のウィンドウ１０とフラッシュ装置の光源との間にフィルタ３、好ましくはカラーフィルタが配置されている。この場合、フィルタ３は、図２に示したように、支持体に組込まれているのが好適である。支持体１が双方向矢印８によって示された方向に回動することにより種々のフィルタ２，３，４が容易にフラッシュ装置６の光放出域５に配置される。本発明のこの実施形態において、前記構成により、支持体１が回動することによりフラッシュ装置６から放出されるフラッシュライトの種類を容易に変更することができる。
【００１４】
図２には支持体１がフラッシュ装置６から抜き出されて示されている。この場合、支持体１は種々のフィルタ２，３および４を擁している。ここで、たとえばフィルタ２は青色フィルタ、フィルタ３は緑色フィルタ、フィルタ４は赤色フィルタであってよい。この場合、本発明により、公知のあらゆる種類のフィルタを本発明によるフラッシュ装置に組込むことが可能である。図２に示した実施形態においてさらに、フラッシュ装置６に支持体１を容易に挿脱することにより、種々のフィルタ２，３，４を擁した種々の支持体１を容易に交換することが可能である。
【００１５】
図３は、支持体１ならびにフラッシュ装置６がカメラ９に内臓された実施例を示したものである。この実施例において、支持体１は図１および２に示した実施形態と同様に回動支持されていることから、それを矢印８の方向に容易に回動させることによりフラッシュ装置６の光放出域５に種々のフィルタ２，３，４を配置することができる。この実施例にあっても支持体１を交換式に形成することが可能であることから、種々のフィルタ２，３，４を擁した種々の支持体１をフラッシュ装置６ないしカメラ９に組込むことができる。
【００１６】
さらに、フラッシュ装置を完全に分離して、カメラによって制御し得るように配置することもすでに従来の技術において公知に属する。これらの変種において、フラッシュ装置は大抵、制御パルスの伝送のため、ケーブルを介してカメラと連結されている。この種の実施形態は本発明によるフラッシュ装置を用いても実現することが可能である（ここでは不図示）。
【図面の簡単な説明】
【００１７】
【図１】本発明によるフラッシュ装置を取り付けたカメラを示した図である。
【図２】本発明によるフラッシュ装置の詳細図である。
【図３】カメラに内臓された本発明によるフラッシュ装置を示した図である。
【国際公開パンフレット】
2004521388.tif 000003
2004521388.tif 000004
2004521388.tif 000005
2004521388.tif 000006
2004521388.tif 000007
2004521388.tif 000008
2004521388.tif 000009
2004521388.tif 000010
2004521388.tif 000011
【国際調査報告】
2004521388.tif 000012
2004521388.tif 000013
2004521388.tif 000014
2004521388.tif 000015